(57)【特許請求の範囲】
【請求項１】
ダンパーヘッドとダンパーフェルトからなるダンパーヘッドアッセンブリとダンパーレバーとを備え、非演奏時に前記ダンパーヘッドアッセンブリを弦に接触させてその振動を阻止するピアノのダンパー機構において、
前記ダンパーレバーを金属粉入りの合成樹脂からなる成形品によって形成したことを特徴とするピアノのダンパー機構。
【発明の詳細な説明】
【０００１】
【発明の属する技術分野】
本発明は、通常では弦の振動を阻止し、演奏時に弦を解放するピアノのダンパー機構に関し、特にグランドピアノに適用して好適なダンパー機構に関する。
【０００２】
【従来の技術】
ピアノのダンパー機構は、通常（非演奏時）では弦を押圧して止音し、演奏時に鍵盤またはダンパーペダルに連動して作動することにより弦の押圧状態を解除するもので、回動自在なダンパーレバーと、このダンパーレバーにダンパーワイヤを介して取付けられたダンパーヘッドアッセンブリ等で構成されている。
【０００３】
図５は従来のグランドピアノのダンパー機構を示す概略構成図で、１はダンパー機構、２は鍵盤、３は弦である。ダンパー機構１は、回動自在なダンパーレバー４の遊端側にダンパーワイヤフレンジ５およびダンパーワイヤ６を介して取付けられたダンパーヘッドアッセンブリ７を備え、非演奏時にダンパー機構１自体の自重によりダンパーフヘッドアッセンブリ７を弦３に押し付けてその自由な振動を阻止しており、鍵盤２の押鍵操作によってダンパーレバー４が鍵盤２の後端によって突上げられて回動すると、ダンパーヘッドアッセンブリ７が上方へ移動して弦３を開放させるように構成されている。ダンパーヘッドアッセンブリ７は、木製のダンパーヘッド７Ａと、このダンパーヘッド７Ａの下面に固着されたダンパーフェルト８とで構成されている。
【０００４】
また、ダンパー機構１は、鍵盤２による操作とは別にピアノの下方に配設されたペダル機構１０によっても作動し、弦３を解放するように構成されている。なお、このペダル機構１０は、ダンパーペダル１２、突上棒１３、リフティングレール１４等を備え、リフティングレール１４によって８８鍵全てのもしくは一部のダンパーレバー４を押し上げるように構成されている。
【０００５】
前記弦３は鍵盤２の上方に水平に張設されており、低、中、高音域毎にその外径、弦長、本数が異なり、低音弦ほど太くて弦長が長く、振動の振幅も大きい。また、低音弦は１〜２本の弦を１組とし、中音弦は２〜３本の弦を１組とし、高音弦は３本の弦を用いている。このため、全ての弦３に対して略等しい止音効果が得られるようにするために、ダンパー機構１の質量を段階的に異ならせ、低音域から高音域にいたるにしたがって軽量になるようにしている。この質量調整は、ダンパーヘッド７Ａの形状、大きさ、質量を変えるだけでは不十分であるため、ダンパーレバー４に鉛等のように相対的に比重が大きい金属からなる重り１５を所要個数埋設することにより、所望の質量を得るようにしている。
【０００６】
【発明が解決しようとする課題】
上記した通り、従来は低、中、高音域の全ての音域にわたって良好な止音効果を得るために、ダンパーヘッド７Ａの形状、大きさ、質量を各鍵毎に変えるとともに、ダンパーレバー４に重り１５をその質量が低音域から高音域にいたるにしたがって段階的に小さくなるように埋設していた。しかしながら、ダンパーヘッド７Ａは、イス、オノオレ等の比重が大きい木材製であるため、樹種が制約されるばかりか、同一種であっても産地、樹齢等によって比重にばらつきがあるため、質量のばらつきが大きいという問題があった。また、木材は森林伐採による資源の枯渇化に伴って高価で安定した入手が難しいという問題もあった。
一方、重り１５による質量調整は、ダンパーレバー４の側面に重り１５の大きさに見合った孔を所要個数形成して１つずつ埋設する必要があるため、その作業が面倒である。また、スペース上の制約もあり、必要数を埋設できない場合もある。その他、重り１５の材質として鉛を用いているため、公害問題となり環境保護のために好ましくないという問題があった。
【０００７】
本発明は上記した従来の問題を解決するためになされたもので、その目的とするところは、製作が容易で、最適な質量を容易に得られるようにしたピアノのダンパー機構を提供することにある。
【０００８】
【課題を解決するための手段】
上記目的を達成するために本発明は、ダンパーヘッドとダンパーフェルトからなるダンパーヘッドアッセンブリとダンパーレバーを備え、非演奏時に前記ダンパーヘッドアッセンブリを弦に接触させてその振動を阻止するピアノのダンパー機構において、前記ダンパーレバーを金属粉入りの合成樹脂からなる成形品によって形成したものである。
【０００９】
本発明において、ダンパーレバーは金属粉が混入された合成樹脂からなる成形品によって形成されるため、木材を必要としない。また、金属粉の材質や混入量を変えることにより、ピアノ本体の設計に合わせて最適な質量のダンパーレバーを製作することができる。成形に当たっては、低、中、高音域毎やオクターブ毎に段階的に大きさや質量を変えて製作したり、大きさ、および質量を１個ずつ連続的に変えて製作することができる。質量を段階的に変えて製作する場合は、大きさが異なる複数個の金型を用いればよい。大きさおよび質量を１個ずつ連続的に変える場合は、細長い台形で低、中、高音域の全音域にわたって延在する長さを有する金属粉入りの合成樹脂板を射出成形によって形成し、この合成樹脂板を所要の幅で切断すると、大きさおよび質量を連続的に異ならせることができる。
【００１０】
【発明の実施の形態】
以下、本発明を図面に示す実施の形態に基づいて詳細に説明する。
図１は本発明をグランドピアノのダンパー機構に適用した一実施の形態を示す斜視図、図２はダンパーレバーの一部を破断して示す正面図、図３はダンパーヘッドアッセンブリの一部を破断して示す正面図である。なお、図中従来技術の欄で示した構成部材と同一のものについては同一の符号をもって示し、その説明を適宜省略する。これらの図において、ダンパレバー２１は形状、大きさ自体従来のダンパーレバー４と同一であっても、木材の代わりに合成樹脂からなる成形品によって形成されている点で異なっている。合成樹脂としては、ナイロン系合成樹脂等の比重が相対的に大きい合成樹脂が用いられる。また、成形に当たっては金属粉２２を混入することにより質量の増大化を図っている。金属粉２２としては、相対的に比重が大きい金属の粉、例えば鉄粉等が用いられ、その混入量や材質を変えることによりダンパーレバー２１の質量を自由に調整することができる。
【００１１】
また、ダンパーヘッド２３も形状自体は従来のダンパーヘッド７Ａと同一であっても、木材の代わりに合成樹脂からなる成形品によって形成されている点で異なり、ダンパーフェルト８とでダンパーヘッドアッセンブリ７を形成している。ダンパヘッド２３の材質としては、前記ダンパーレバー２１と同様にナイロン系合成樹脂等のように比重が相対的に大きい合成樹脂が用いられる。また、成形に当たっては鉄粉等の金属粉２４を混入することにより質量の増大化を図っている。また、その混入量や材質を変えると、ダンパーヘッド２３の質量を自由に調整することができる。
【００１２】
２５はダンパーガイドレールで、ダンパーワイヤ６が摺動自在に貫通する挿通孔が形成されている。２６はダンパーレバーレールで、このダンパーレバーレール２６の前面にダンパーレバー２１の後端を上下方向に回動自在に軸支するダンパーレバーフレンジ２７が固定されている。２８は鍵盤咬である。なお、ダンパー機構３０自体の構造は、図５に示した従来のダンパー機構１と全く同一である。
【００１３】
前記ダンパーレバー２１とダンパーヘッド２３の製作に当たっては、低、中、高音域の順に段階的に軽量になるように形成したり、オクターブ毎に軽量になるように形成したり、あるいはまたは大きさおよび質量を１個ずつ連続的に変えて形成することができる。低、中、高音域毎またはオクターブ毎に段階的に軽量になるように形成する場合は、大きさが異なる複数個の金型を用意し、金属粉の種類、混入量を同じにして質量および大きさが異なる複数種のものを製作するか、または１種類の金型で金属粉の種類、混入量を変えることにより大きさが同じで質量の異なるものを複数種製作すればよい。
【００１４】
図４は大きさおよび質量を１個ずつ連続的に変えてダンパーヘッドを製作する場合の例を示す。先ず、細長い台形で低、中、高音域の全音域にわたって延在する長さを有する金属粉入りの合成樹脂板３１を射出成形によって製作する。次に、この合成樹脂板３１を切断線３２で示すように所要の幅で切断すると、大きさおよび質量が連続的に異なる８８個のダンパーヘッド２３を製作することができる。
【００１５】
このように、本発明においては、金属粉２２入りの合成樹脂からなる成形品によってダンパーレバー２１を形成したので、木材を一切用いる必要がなく、形状、大きさ自体は従来のものと同一であっても、金属粉２２の混入量、材質を変えることによって各音域毎、オクターブ毎または１個ずつ所望の質量を有するダンパーレバー２１を得ることができる。したがって、従来必要としていた鉛等の重りを埋設するための穴明け作業や重りの埋設作業が不要で、製作が簡単かつ容易である。また、鉛を使用しなければ、公害問題も解消することができる。さらに、木材の場合は、高比重の稀少材の入手が難しく、また同一種であっても比重のばらつきにより高い質量精度が得難いのに対して、金属粉２２入りの成形品の場合は、合成樹脂の比重のばらつきがなく、また金属粉２２の混入量の調整も容易で、高い質量精度のダンパーレバー２１を製作することができる。
【００１６】
同様に、金属粉２４入りの合成樹脂からなる成形品によってダンパーヘッド２３を形成したので、木材を一切用いる必要がなく、形状、大きさ自体は従来のダンパーヘッド７Ａと同一であっても、金属粉２４の混入量、材質を変えることによって各音域毎、オクターブ毎または１個ずつ所望の質量を有するダンパーヘッド２３を得ることができる。
【００１７】
なお、上記した実施の形態においては、ダンパーレバー２１とダンパーヘッド２３を金属粉入りの合成樹脂からなる成形品によって形成した例を示したが、本発明はこれに何等限定されるものではなく、ダンパーレバー２１のみを金属粉入りの合成樹脂からなる成形品によって形成したり、あるいはまたダンパーヘッド２３のみを金属粉入りの合成樹脂からなる成形品によって形成してもよい。
また、上記した実施の形態においては、グランドピアノのダンパー機構３０に適用した例を示したが、これに限らず弦３を上方から押圧して止音するタイプのピアノであれば、電気ピアノであってもよい。
【００１８】
【発明の効果】
以上説明したように本発明に係るピアノのダンパー機構は、ダンパーレバーを金属粉入りの合成樹脂からなる成形品によって形成したので、木材の使用量を削減することができ、また射出成形によって製作することができるので、金属粉の材質や混入量を変えることにより、所望の質量を有するものを容易に製作することができる。
【図面の簡単な説明】
【図１】本発明をグランドピアノのダンパー機構に適用した一実施の形態を示す斜視図である。
【図２】ダンパーレバーの一部を破断して示す正面図である。
【図３】ダンパーヘッドアッセンブリの一部を破断して示す正面図である。
【図４】質量および大きさが連続的に変化するダンパーヘッドの製作を説明するための図である。
【図５】従来のグランドピアノのダンパー機構を示す図である。
【符号の説明】
１…ダンパー機構、２…鍵盤、３…弦、４…ダンパーレバー、７…ダンパーヘッドアッセンブリ、７Ａ…ダンパーヘッド、８…ダンパーフェルト、２１…ダンパーレバー、２２…金属粉、２３…ダンパーヘッド、２４…金属粉、３０…ダンパー機構、３１…合成樹脂板。
【図１】
0003598942.tif 000002
【図２】
0003598942.tif 000003
【図３】
0003598942.tif 000004
【図４】
0003598942.tif 000005
【図５】
0003598942.tif 000006